(57)【要約】【課題】本身処理に起因する生産性阻害の問題を解決し、高生産性の画像形成システムを提供する。【解決手段】本身用紙及び表紙用紙を給紙する給紙搬送手段を有する画像形成装置と、当該画像形成装置から出力された本身用紙及び表紙用紙を基に製本を行う製本装置とを備えた画像形成システムにおいて、本身用紙を給紙した後に表紙用紙を給紙するように前記給紙搬送手段を制御する制御手段と、を有する。【選択図】図１５
2007178967.tif 000002
【特許請求の範囲】
【請求項１】
本身用紙及び表紙用紙を給紙する給紙搬送手段を有する画像形成装置と、当該画像形成装置から出力された本身用紙及び表紙用紙を基に製本を行う製本装置とを備えた画像形成システムにおいて、
本身用紙を給紙した後に表紙用紙を給紙するように前記給紙搬送手段を制御する制御手段と、
を有することを特徴とする画像形成システム。
【請求項２】
前記製本装置は、製本処理中に後続の本身用紙を収容可能な用紙束収容手段を有することを特徴とする請求項１に記載の画像形成システム。
【請求項３】
前記画像形成装置は、本身用の画像データである本身画像データ及び表紙用の画像データである表紙画像データが入力される画像入力手段を有し、
前記画像入力手段には、本身画像データの入力後に少なくとも表紙画像データの一部が入力されることを特徴とする請求項１又は２に記載の画像形成システム。
【請求項４】
画像を形成する画像形成手段を有し、
前記制御手段は、前記本身用紙が前記画像形成手段に供給された後に前記表紙用紙が前記画像形成手段に供給されるように、前記給紙搬送手段を制御することを特徴とする請求項１〜３のいずれか１項に記載の画像形成システム。
【請求項５】
前記製本装置は、表紙用紙を給紙する給紙搬送手段を有し、
前記制御手段は、前記製本装置の給紙搬送手段から表紙用紙を給紙する場合には、前記画像形成装置の給紙搬送手段からの本身用紙の給紙動作に拘束されることなく、前記製本装置の給紙搬送手段から表紙用紙を給紙することを特徴とする請求項１〜４のいずれか１項に記載の画像形成システム。
【請求項６】
前記製本手段は、前記表紙用紙により前記本身用紙の束をコの字状に覆い製本することを特徴とする請求項１〜５のいずれか１項に記載の画像形成システム。
【請求項７】
前記製本手段は、前記本身用紙の束の背部と前記表紙用紙とを接着剤により接着する手段を有することを特徴とする請求項６に記載の画像形成システム。
【請求項８】
前記画像形成装置は、画像を形成する画像形成手段と、前記画像形成手段による画像形成を制御する画像形成制御手段と、を有し、
前記表紙用紙へ画像を形成する場合に、前記画像形成制御手段は、前記本身用紙に画像形成を行った後に前記表紙用紙に画像形成を行うように、前記画像形成手段を制御することを特徴とする請求項１〜７のいずれか１項に記載の画像形成システム。
【請求項９】
画像形成を行う画像形成手段と、表紙用紙及び前記画像形成手段により画像形成された本身用紙を基に製本を行う製本手段と、を備えた画像形成システムにおいて、
前記表紙用紙に画像を形成する場合に、前記本身用紙に画像形成を行った後に前記表紙用紙に画像形成を行うように前記画像形成手段を制御する制御手段を有することを特徴とする画像形成システム。
【請求項１０】
前記画像形成手段により画像形成された本身用紙の束の厚さに相当する値を演算する用紙束厚さ演算手段を有し、
前記制御手段は、前記用紙束厚さ演算手段の演算結果に基づき表紙用紙への画像形成を行うよう前記画像形成手段を制御することを特徴とする請求項９に記載の画像形成システム。
【請求項１１】
本身用紙及び表紙用紙を基に製本を行う製本装置が接続可能な画像形成装置において、
前記本身用紙及び前記表紙用紙を給紙する給紙搬送手段と、
前記本身用紙を給紙した後に前記表紙用紙を給紙するように前記給紙搬送手段を制御する制御手段と、
を有することを特徴とする画像形成装置。
【請求項１２】
製本の行われる本身用紙及び表紙用紙の給紙を行う画像形成装置の給紙方法において、
本身用紙の給紙を行う本身用紙給紙工程と、
前記本身用紙給紙工程の後に表紙用紙の給紙を行う表紙用紙給紙工程と、
を有することを特徴とする画像形成装置の給紙方法。
【請求項１３】
製本の行われる本身用紙及び表紙用紙に画像形成を行う画像形成方法において、
本身用紙に画像形成を行う本身用紙画像形成工程と、
前記本身用紙画像形成工程の後に表紙用紙に画像形成を行う表紙用紙画像形成工程と、
を有することを特徴とする画像形成方法。
【請求項１４】
画像形成の行われた本身用紙の束の厚さを演算する用紙束厚さ演算工程と、
を有し、
前記表紙用紙画像形成工程は、前記用紙束厚さ演算工程の演算結果に基づき表紙用紙への画像形成を行うことを特徴とする請求項１３に記載の画像形成方法。
【発明の詳細な説明】
【技術分野】
【０００１】
本発明は、画像形成システム、画像形成装置、画像形成装置の給紙方法、及び画像形成方法に関する。
【背景技術】
【０００２】
画像形成装置と製本装置とから構成される画像形成システムが知られており、例えば特許文献１には、画像が形成された本身（用紙束）を１枚の表紙用の用紙でコの字状に包み込み、本身の背部を表紙用の用紙に糊付けすることによりくるみ製本を行うことが記載されている。
【特許文献１】特開２００４−２０９８６９号公報
【発明の開示】
【発明が解決しようとする課題】
【０００３】
しかしながら、上記の画像形成システムにおいては、製本装置における本身に対する製本のための処理（本身処理）に時間が掛かり、画像形成システムの生産性を阻害する要因となっていた。
【０００４】
例えば、特許文献１のシステムにおいては、本身の背部を表紙用の用紙に糊付けするために本身の背部に糊を塗布しなければならず、この糊塗布に時間が掛かっていた。
【０００５】
本発明は、生産性の高い製本を可能とする画像形成システム、画像形成装置、画像形成装置の給紙方法、及び画像形成方法を提供することを目的としている。
【課題を解決するための手段】
【０００６】
本発明の画像形成システムは、本身用紙及び表紙用紙を給紙する給紙搬送手段を有する画像形成装置と、当該画像形成装置から出力された本身用紙及び表紙用紙を基に製本を行う製本装置とを備えた画像形成システムにおいて、本身用紙を給紙した後に表紙用紙を給紙するように前記給紙搬送手段を制御する制御手段と、を有することを特徴としている。
【０００７】
また、本発明の画像形成システムは、画像形成を行う画像形成手段と、表紙用紙及び前記画像形成手段により画像形成された本身用紙を基に製本を行う製本手段と、を備えた画像形成システムにおいて、前記表紙用紙に画像を形成する場合に、前記本身用紙に画像形成を行った後に前記表紙用紙に画像形成を行うように前記画像形成手段を制御する制御手段を有することを特徴としている。
【０００８】
本発明の画像形成装置は、本身用紙及び表紙用紙を基に製本を行う製本装置が接続可能な画像形成装置において、前記本身用紙及び前記表紙用紙を給紙する給紙搬送手段と、前記本身用紙を給紙した後に前記表紙用紙を給紙するように前記給紙搬送手段を制御する制御手段と、を有することを特徴としている。
【０００９】
本発明の画像形成装置の給紙方法は、製本の行われる本身用紙及び表紙用紙の給紙を行う画像形成装置の給紙方法において、本身用紙の給紙を行う本身用紙給紙工程と、前記本身用紙給紙工程の後に表紙用紙の給紙を行う表紙用紙給紙工程と、を有することを特徴としている。
【００１０】
本発明の画像形成方法は、製本の行われる本身用紙及び表紙用紙に画像形成を行う画像形成方法において、本身用紙に画像形成を行う本身用紙画像形成工程と、前記本身用紙画像形成工程の後に表紙用紙に画像形成を行う表紙用紙画像形成工程と、を有することを特徴としている。
【発明の効果】
【００１１】
本発明によれば、生産性の高い製本を可能とする画像形成システム、画像形成装置、画像形成装置の給紙方法、及び画像形成方法を提供することができる。
【発明を実施するための最良の形態】
【００１２】
（第１の実施形態）
以下に図面を参照して本発明について説明するが、本欄の説明は請求項の技術的範囲や用語の意義に限定されるものではない。ＯＨＰシート、紙以外の材質のシート、及び紙を含め便宜上用紙と記す。又表紙用紙のうら面とは用紙束が接着される側の面を指し、おもて面とはその反対側の面を指している。また、幅方向とは用紙においては接着面側端〜小口側端部方向を指し、表紙用紙に置いては一方の小口側端部〜背〜他方の小口側端部方向を指している。また、本身とは表紙用紙により覆われる用紙束を指す。
【００１３】
図１はくるみ製本を行った冊子の説明図である。
【００１４】
１はくるみ製本された冊子で、コの字型となった表紙用紙２と、用紙３（本身用紙と称する場合もある）が複数枚束になった用紙束４の背部４ａ（糊塗布面６）と、が接着剤５により接着されている。
２Ａは冊子としてのおもて表紙、２Ｂは冊子としてのうら表紙、２Ｃは冊子としての背を指し、２Ｄはおもて／うら表紙のおもて面、２Ｅはおもて／うら表紙のうら面を指している。
【００１５】
ここで、うら面とは表紙用紙を冊子形態とした時用紙束と接着されている側の面を指し、おもて面とはその反対側の面すなわち冊子形態とした時冊子の外側表面を指している。
【００１６】
図２は画像形成装置に、後処理装置を接続した場合の説明図である。
【００１７】
図２及び図１において、画像形成装置Ａは記録材に画像を形成する画像形成装置本体Ｂを有し、用紙３に対して後処理を行う場合は後処理装置ＦＳを接続している。
【００１８】
以下では、画像形成装置本体Ｂ及び後処理装置ＦＳから構成されるものを画像形成装置と称しているが、画像形成装置本体Ｂを画像形成装置と称し、当該画像形成装置と後処理装置ＦＳから構成されるものを画像形成システムと称してもよい。
【００１９】
なお、画像形成装置本体Ｂの上部に原稿を画像読取手段Ｂ１に送り込む自動原稿送り装置ＤＦを接続しても良い。
【００２０】
［画像形成装置本体］
本欄で本発明の、くるみ製本の選択時に表紙用紙の用紙束接着部に画像形成を行わないことを特徴とする画像形成装置について説明する。
【００２１】
図示の画像形成装置本体Ｂは、画像読取手段Ｂ１、画像処理手段Ｂ２、画像書込手段Ｂ３、画像形成手段Ｂ４、給紙搬送手段Ｂ５、定着手段Ｂ６、操作表示手段Ｂ７、画像データ生成手段Ｂ８、とこれらを制御する制御手段ＣＢとを有している。
【００２２】
画像形成手段Ｂ４は、感光体ドラム４Ａ、帯電手段４Ｂ、現像手段４Ｃ、転写手段４Ｄ、分離手段４Ｅ、クリーニング手段４Ｆ等を有し、給紙搬送手段Ｂ５は給紙カセット５Ａ、給紙カセット５Ｂ、給紙カセット５Ｃ、第１給紙手段５Ｄ、第２給紙手段５Ｅ、第３給紙手段５Ｆ、レジストローラ５Ｇ、搬送手段５Ｈ、排紙手段５Ｉ、自動両面コピー給紙手段（ＡＤＵ）５Ｊを有している。
【００２３】
操作表示手段Ｂ７は画像形成装置本体Ｂの上部前面に位置し、起動スイッチ等の各種操作スイッチ、及び、各種情報の表示及び各種情報の入力操作が可能なタッチパネル等を有し、タッチパネルには、装置の状態や警報等を表示する表示画面、オペレータに対し操作を促す指示画面、くるみ製本に係る各種画像形成条件の設定又は選択、使用用紙及び表紙用紙の設定又は選択、くるみ製本に係る後処理条件の設定又は選択等を入力する入力画面、の表示が行われると共に、表示された前記画面に基づき設定、選択された操作内容が制御手段ＣＢに入力される。
【００２４】
また、画像形成装置本体Ｂの上部には、自動原稿送り装置ＤＦが搭載されている。
【００２５】
画像形成装置本体Ｂの図示の左側面の排紙手段５Ｉ側（下流側）には、後処理機ＦＳが連結されている。
【００２６】
自動原稿送り装置ＤＦの原稿台上に載置された原稿は画像読取手段Ｂ１の光学系により原稿の片面又は両面の画像が読みとられ、光電変換された原稿画像のアナログ信号は、画像処理手段Ｂ２においてアナログ処理、Ａ／Ｄ変換、シェーディング補正、画像圧縮処理等の処理が行われデジタル画像データとなり、デジタル画像データは画像データ生成手段Ｂ８でオペレータにより指定された加工・生成が行われ、生成されたデジタル画像データは画像書込手段Ｂ３に送られる。
【００２７】
画像書込手段Ｂ３においては、半導体レーザからの出力光が画像形成手段Ｂ４の感光体ドラム４Ａに照射され潜像を形成する。
【００２８】
ここで、外部の情報端末ＰＣから通信手段ＣＰ１、通信手段ＣＢ２を介して画像データ等を受信して画像データ生成手段Ｂ８で加工・生成する様にしても良い。
【００２９】
画像形成手段Ｂ４においては、帯電手段４Ｂ、現像手段４Ｃ等により感光体ドラム４Ａの一様帯電、潜像の現像が行われ感光体ドラム４Ａ上にトナー像を形成し、転写手段４Ｄ、分離手段４Ｅ、クリーニング手段４Ｆにより、給紙搬送手段Ｂ５より給送された用紙３へのトナー像の転写、用紙３の分離、感光体ドラム４Ａに残ったトナーのクリーニング等の処理が行われる。
【００３０】
給紙搬送手段Ｂ５より給送された用紙３は転写手段４Ｄにより画像が用紙３に転写される。画像を担持した用紙３は、定着手段Ｂ６によりトナー像が定着され、排紙手段５Ｉから下流の後処理装置ＦＳに給紙される。
【００３１】
両面に画像形成する場合は、自動両面コピー給紙手段５Ｊに送り込まれた第１面（おもて）画像の定着済みの用紙３は再び画像形成手段Ｂ４において第２面（うら）画像形成、定着後、排紙手段５Ｉにより排出され、下流の後処理装置ＦＳに給紙される。
【００３２】
画像形成装置本体Ｂ内に配置された制御手段ＣＢに接続された通信手段ＣＢ１と、後処理装置ＦＳ内に配置された後処理装置の制御手段ＣＦに接続された通信手段ＣＦ１とは、通信回線９により接続され、各種データの送受信や、画像形成に係る制御信号等の送受信を行う。
【００３３】
また、制御手段ＣＢに接続された通信手段ＣＢ２はインターネットやＬＡＮを介して外部の情報端末ＰＣ（例えばパーソナルコンピュータ等）の通信手段ＣＰ１に接続され、画像データを含む各種データや画像形成に係る制御情報を送受信する。
【００３４】
以下に本発明の画像形成装置に好適に接続可能な後処理装置について、その１つの形態である糊付けくるみ製本装置を例に取り説明する。
【００３５】
なお、糊付けくるみ製本装置とは、図１に示したように、複数の用紙を束状に纏め、用紙束の小口に接着剤を塗布し、表紙用紙をコの字状にくるむことにより、冊子を作成することを特徴とする後処理装置を指す。
【００３６】
［糊付けくるみ製本装置］
図３は、糊付けくるみ製本装置ＦＳＮを説明する断面図である。
【００３７】
図３及び図１に置いて、後処理装置のＦＳの１種である糊付けくるみ製本装置ＦＳＮは、用紙３及び表紙用紙２又は用紙３を搬送する用紙搬送手段１０と、用紙３を固定排紙台２４に排出する排紙手段２０と、表紙用紙２を供給する表紙供給手段３０と、搬送された用紙３を複数枚収容し用紙束とする用紙束収容手段４０と、用紙束を把持する用紙束把持手段５０と、用紙束の小口に糊を塗布する糊塗布手段６０と、糊を塗布した用紙束に表紙用紙を貼り付ける表紙貼付手段７０と、用紙束に貼り付けた表し用紙を用紙束に沿って折り曲げる表紙折り曲げ手段８０と、完成した冊子を排出する冊子排出手段９０と、糊付けくるみ製本に係る制御を行う制御手段ＣＦと、画像形成装置と通信を行う通信手段ＣＦ１と、を有している。
【００３８】
上記用紙搬送手段１０〜冊子排出手段９０の各手段は、糊付けくるみ製本装置本体内の垂直方向に縦列配置されている。
【００３９】
〈用紙搬送手段１０〉
用紙搬送手段１０に導入された用紙３は、入口ローラ１１，１２に挟持されて搬送され、搬送路切換手段Ｇ１によって排紙手段２０と用紙束収容手段４０に分岐される。
【００４０】
〈排紙手段２０〉
用紙の排紙が設定されると、搬送路切換手段Ｇ１は用紙束収容手段４０方向への搬送路を遮断し、排紙手段２０方向への搬送路を開放し、用紙３を排紙手段２０に搬送する。
【００４１】
排紙手段２０への搬送路を通過する用紙３は、搬送ローラ２１，２２に挟持されて上方に搬送され、排紙ローラ２３によって装置最上部の固定排紙台（サブトレイ）２４上に排出、収容される。固定排紙台２４上には、画像形成装置本体Ｂから排出された用紙３を直接受容して、最大約２００枚を積載することを可能としている。
【００４２】
〈表紙供給手段３０〉
表紙供給手段３０の給紙皿３１内に収容された表紙用紙（以下、表紙と称す）２は、給紙手段３２により分離、給送され、搬送ローラ３３に挟持され、搬送路切換手段Ｇ２によって下方に案内され、搬送ローラ３４，３５，３６に挟持されて、表紙貼付手段７０に搬送される。
【００４３】
なお、画像形成装置本体Ｂで画像形成された表紙用紙を用いる場合は、画像形成装置本体Ｂから給紙された表紙用紙を入口ローラ１１，１２、搬送路切換手段Ｇ１、搬送路切換手段Ｇ２、搬送ローラ４５を経て一旦用紙束収容手段４０側に搬送し、その後搬送ローラ４５を逆転させ表紙用紙を搬送路切換手段Ｇ３、搬送ローラ３３、給紙手段３２を経て表紙供給手段３０に搬送し、給紙皿３１内に収容する。そして、表紙貼付時に上記したようにして表紙貼付手段７０に搬送する。
【００４４】
〈用紙束収容手段４０〉
搬送路切換手段Ｇ１，Ｇ２によって用紙搬送方向下流側の用紙束収容手段４０側に搬送された用紙３は、搬送ローラ４１に挟持されて用紙束収容手段４０の所定位置に収容され順次積載されて、所定枚数の用紙３から成る用紙束４が形成される。
【００４５】
用紙束収容手段４０は、傾斜配置された用紙載置台４２、揺動可能な用紙後端位置決め部材４３、用紙幅方向を位置決めする用紙幅整合部材４４等を有している。
【００４６】
後述の用紙束把持手段５０に用紙束４が存在している場合に、画像形成装置本体Ｂから次々に搬送されてくる用紙をストックする機能を有する。
【００４７】
〈用紙束把持手段５０〉
用紙束収容手段４０の用紙載置台４２上に積載された用紙束４は、図示しない押し出し手段により斜め下方に搬送される。その後、用紙束４は用紙束把持手段５０の把持手段５１によって把持され、用紙束４を把持したまま、用紙束４に糊塗布処理をする面を下側になるように旋回されて、所定位置に停止される。
【００４８】
〈糊塗布手段６０〉
糊塗布手段６０は、糊塗布部材（塗布ローラとも称す）６１と、塗布ローラ６１の回転手段６２と、糊を収容する糊容器６３と、移動体６４と、移動体６４を往復動させる移動手段、とを有している。移動体６４は、塗布ローラ６１、回転手段６２、糊容器６３を支持して、用紙束４の小口４ｂに沿って（図示紙面表裏方向）に移動可能である。
【００４９】
なお、糊塗布部材６１は塗布ローラに限定されるものではなく、糊塗布ノズル、両面粘着テープ等も適用可能である。
【００５０】
〈表紙貼付手段７０〉
表紙貼付手段７０は、表紙供給手段３０から供給された表紙用紙２を受容して搬送し、例えば表紙用紙の幅手方向略中央が用紙束４の小口の中央部と一致する所定位置に停止させる搬送ベルト７１，７２と、表紙用紙２を用紙束４の糊塗布面６に圧接させる加圧部材７３と、搬送ベルト７１，７２と加圧部材７３を支持する移動筐体７４と、移動筐体７４を垂直上下方向に移動可能にする昇降手段７５とを有している。
【００５１】
昇降手段７５は、支持台７５１に支持され、支軸７５２によって回転自在に枢支されＸ字型に交差する２本のアーム７５３，７５４と、駆動源に接続して支持台７５１の長溝部７５５に沿って水平移動可能な可動軸７５６と、移動筐体７４を支持するコロ７５７と、を有している。
【００５２】
可動軸７５６を移動させる事により、２本のアーム７５３，７５４の上端部が上昇して、移動筐体７４を上方位置に移動させる。この上昇位置（図３の破線で示す位置）において、加圧部材７３上に載置された表紙用紙２の中央部は、用紙束４ａの糊塗布面６に圧接して接着される。
【００５３】
〈表紙用紙断裁手段７６〉
移動筐体７４の図示右方に配置された表紙用紙断裁手段７６は、必要に応じて不図示のカッタにより表紙用紙２の搬送方向長さを所定長に断裁する。
【００５４】
〈表紙折り曲げ手段８０〉
表紙貼付手段７０の上部には、表紙折り曲げ手段８０が装備されている。表紙り曲げ手段８０は、左右対称な一対の折り曲げ部材８１を有する。折り曲げ部材８１は用紙束４の厚さ方向に移動可能で、かつ上下方向に移動可能である。
折り曲げ部材８は用紙束４の糊塗布面６の側縁に沿って表紙用紙２を折り曲げ、用紙束４の表裏面にそれぞれ表紙用紙２を重ね合わせ、表表紙と裏表紙とを形成する。
【００５５】
〈冊子断裁手段〉
２本の排出ベルト９１，９２の上流（図示右側）に冊子１の小口４ｂ側を断裁する不図示の冊子断裁手段が配設されている。
【００５６】
糊塗布された用紙束４の背部４ａに表紙用紙２が貼付されておもて表紙とうら表紙とを形成した冊子１は小口側を冊子断裁手段に向けて搬送され、切断予定位置が冊子断裁手段のカッタに来た時点で停止し、カッタにより冊子１が切断予定位置に沿って断裁され所定の寸法の冊子が形成される。
【００５７】
〈冊子排出手段〉
糊塗布された用紙束４の背部に表紙用紙２が貼付されておもて表紙とうら表紙とを形成した冊子１は、冊子排出手段９０の２本の排出ベルト９１，９２により排出開口９３から装置外に排出され、昇降排紙台９４上に載置され、順次積載される。昇降排紙台９４上に冊子１が排出、積載されると、昇降排紙台９４は順次下降する。
【００５８】
なお、くるみ製本装置ＦＳＮの表紙供給手段３０の下流に表紙を２つ折り、３つ折り等にする折り手段を設けて、必要に応じて表紙のおもて表紙或いはうら表紙に相当する部分を２つ折り、３つ折り等にしても良い。
以上、糊付けくるみ製本について述べてきたが、糊塗布手段６０と表紙貼付手段７０とを、用紙束を表紙用紙でくるみステープル止めするステープル手段に置き換えステープルくるみ包装を行っても良い。
【００５９】
以下に、糊付けくるみ製本の選択時に表紙うら面（用紙束接着面）の用紙束接着部に画像形成を行わないことを特徴とする画像形成について説明する。
【００６０】
図４は画像形成装置本体の制御ブロック図である。
【００６１】
画像形成装置本体Ｂは、画像読取手段Ｂ１、画像処理手段Ｂ２、画像書込手段Ｂ３、画像形成手段Ｂ４、給紙搬送手段Ｂ５、定着手段Ｂ６、及び自動原稿送り装置ＤＦを、入出力インターフェイス手段Ｉ／Ｏを介し制御する制御手段ＣＢと、オペレータから入力された各種操作情報を制御手段ＣＢに入力し、制御手段ＣＢから出力された各種表示情報に基づき表示を行う操作表示手段Ｂ７と、後処理装置である糊付けくるみ製本装置ＦＳＮの制御手段ＣＦに接続された通信手段ＣＦ１と通信回線９を介して通信を行う通信手段ＣＢ１と、外部の情報端末ＰＣの制御手段ＣＰに接続された通信手段ＣＰ１とインターネットやＬＡＮを介して通信を行う通信手段ＣＢ２と、画像形成装置本体Ｂの上述した画像読取手段Ｂ１〜自動原稿送り装置ＤＦを制御する制御プログラム及び糊付けくるみ製本装置ＦＳＮと外部の情報端末ＰＣとの糊付けくるみ製本に係る情報を送受信する方法を記述したプログラムを予め記憶されたＲＯＭ・Ｍ１と、各種情報を一時的に記憶するバッテリーバックアップされたＲＡＭ・Ｍ２とを有している。
【００６２】
ＲＯＭ・Ｍ１には予め各種の用紙の厚さ情報としての後述する用紙の種類に対する用紙の厚さテーブルや、後述の各種画面の画像情報等が記憶されている。
【００６３】
用紙の種類に対する用紙の厚さテーブルの内容すなわち用紙の種類に対する用紙の厚さ情報は操作表示手段Ｂ７で用紙の厚さ追加・変更モードの設定或いはＲＯＭの交換により追加変更が可能となっている。
【００６４】
ＲＡＭ・Ｍ２には後述する選択された実行機能情報、応用機能情報、各種画像データ、各種演算結果が記憶される。
【００６５】
また、各給紙カセットに対する用紙の厚さ・寸法テーブルの内容すなわち給紙カセットに対する用紙の種類、厚さ、サイズ情報はカセット用紙の追加・変更モードにすることにより操作表示手段Ｂ７で追加変更が可能となっている。
【００６６】
図５は画像形成装置本体の糊付けくるみ製本に係るフロー図である。
【００６７】
図６は操作表示手段に表示するカセット／用紙入力画面の図である。
【００６８】
図７は操作表示手段に表示する基本画面の図である。
【００６９】
図８は操作表示手段に表示する応用機能選択画面の図である。
【００７０】
図９は操作表示手段に表示する後処理機能選択画面の図である。
【００７１】
図１０は操作表示手段に表示する表紙に用いる用紙の選択画面の図である。
【００７２】
以下のフロー図に記載のプログラムはＲＯＭ・Ｍ１に記憶されており、ＲＡＭ・Ｍ２に記憶され、制御手段ＣＢにより実行される。
【００７３】
準備作業。オペレータは例えば用紙を給紙カセットに収納時に、各給紙カセットに収納されている用紙の種類及びサイズを入力し、入力内容が記憶させる。
【００７４】
オペレータは各給紙カセット５Ａ〜５Ｃに収納されている用紙の種類及びサイズを入力する給紙カセット／用紙入力画面Ｂ７１（図６）を操作表示手段Ｂ７に表示させ、各給紙カセットに収納されている用紙（表紙用紙）の種類及びサイズを入力し、この内容がＲＡＭ・Ｍ２に記憶される。
【００７５】
具体的には、給紙カセット指定領域Ｂ７１ａで設定する給紙カセットを選択し、選択した給紙カセットに収納した用紙に合わせて、サイズ指定領域Ｂ７１ｂで用紙のサイズを選択し、次いで紙種指定領域Ｂ７１ｃで紙種を選択する。選択された給紙カセットに対応する用紙サイズと紙種情報がＲＡＭ・Ｍ２に記憶される。
【００７６】
なお例えばＡ３ノビ用紙とは、例えばＡ４用紙を内容とする冊子とするときに、小口を断裁することを前提に少なくとも用紙の幅手方向の寸法がＡ３より若干長くなっている用紙を指す。
【００７７】
図示ではオペレータにより第１給紙ユニットが選択され、次いで第１給紙ユニットの用紙としてはＡ４サイズの普通紙が選択されたことを示している。
【００７８】
以下、第１給紙カセットはＡ４サイズの普通紙が選択され、第３給紙カセットはＡ３ノビサイズの普通紙が選択さたもの、すなわち第１給紙カセットにはＡ４サイズの普通紙が収納され、第３給紙カセットにはＡ３ノビサイズの普通紙が収納されているものとして説明する。
【００７９】
機能の選択工程。操作表示手段に基本画面を表示させ、実行させる機能の選択を促す。（ステップＳ１０１）
具体的には、ＲＯＭ・Ｍ１に予め記憶されている基本画面Ｂ７２（図７）の画面データを読み出し、操作表示手段Ｂ７に機能設定画面Ｂ７２ａを含む基本画面Ｂ７２を表示させ、オペレータに実行させる機能の選択を促す。
【００８０】
そして、選択された実行させる機能をＲＡＭ・Ｍ２に記憶させる。
【００８１】
機能設定部分Ｂ７２ａから、応用機能（Ｂ７２ｂ）が選択されたものとして以下説明する。
【００８２】
応用機能の選択工程。操作表示手段に応用機能選択画面を表示させ、実行させる応用機能の選択を促す。（ステップＳ１０２）
具体的には、ステップＳ１０１で選択された応用機能に応じ、ＲＯＭ・Ｍ１に予め記憶されている応用機能のメニュー画面Ｂ７３（図８）の画面データを読み出し、操作表示手段Ｂ７に応用機能のメニュー画面Ｂ７３を表示させ、オペレータに実行させる応用機能の選択を促す。
【００８３】
そして、選択された応用機能をＲＡＭ・Ｍ２に記憶させる。
【００８４】
応用機能のメニュー画面Ｂ７３から、後処理機能（Ｂ７３ａ）が選択されたものとして以下説明する。
【００８５】
なお、直接ステップＳ１０２からスタートするようにしても良い。
【００８６】
後処理機能の選択工程。操作表示手段に後処理機能選択画面を表示させ、実行させる後処理機能の選択を促す。（ステップＳ１０３）
具体的にはステップＳ１０２で選択された後処理機能に応じ、ＲＯＭ・Ｍ１に予め記憶されている後処理機能のメニュー画面Ｂ７４（図９）の画面データを読み出し、操作表示手段Ｂ７に後処理機能のメニュー画面Ｂ７４を表示させ、オペレータに実行させる後処理機能の選択を促す。
【００８７】
そして、選択された後処理機能をＲＡＭ・Ｍ２に記憶させる。
【００８８】
後処理機能のメニュー画面Ｂ７４から、糊付けくるみ処理（Ｂ７４ａ）が選択されたものとして以下説明する。
【００８９】
使用用紙と使用表紙の選択工程。操作表示手段に用紙及び表紙の選択画面を表示させ、使用する用紙と表紙の選択を促す。（ステップＳ１０４）
具体的には、選択された糊付けくるみ処理機能に応じ、ＲＯＭ・Ｍ１に予め記憶されている用紙及び表紙の使用給紙カセット選択画面Ｂ７５（図１０）の画面データを読み出し、操作表示手段Ｂ７に用紙及び表紙の使用給紙カセット選択画面Ｂ７５を表示させ、オペレータに用紙及び表紙用紙として使用する給紙カセットの選択を促す。
【００９０】
そして、選択された用紙及び表紙用紙の給紙カセットをＲＡＭ・Ｍ２に記憶させる。
【００９１】
図示は用紙に第１給紙カセットから給紙し、表紙には第３給紙カセットから給紙する選択が示されている。
【００９２】
用紙及び表紙の使用給紙カセット選択画面Ｂ７５から、用紙は第１給紙カセット即ちＡ４サイズの普通紙、表紙用紙は第３給紙カセット即ちＡ３ノビサイズの普通紙が選択されたものとして以下説明する。
【００９３】
ここで、例えば第１給紙ユニットがＡ４で普通紙であることは、準備作業でＲＡＭ・Ｍ２に記憶された各給紙カセットに収納されている用紙の種類及びサイズ情報を読み出すことにより表示することができる。
【００９４】
用紙の画像形成工程。情報端末ＰＣから、或いは画像読取手段Ｂ１からプリントすべき画像情報を取得し、取得した画像情報を用紙に順次画像形成する。そして画像形成した用紙の枚数をカウントする。（ステップＳ１０５）
具体的には情報端末ＰＣから画像情報（文字、絵等の画像を含む）を取得する場合は、（１）通信手段ＣＢ１、インターネット、通信手段ＣＰ１等を介して制御手段ＣＢから制御手段ＣＰにプリントすべき画像情報の送信依頼を行い、（２）送信依頼に応じて通信手段ＣＰ１、インターネット、通信手段ＣＢ１等を介して制御手段ＣＰから送信された画像情報を受信し、（３）受信した画像情報を一旦ＲＡＭ・Ｍ２に記憶させ、（４）記憶した画像情報を読み出して潜像を形成し、潜像を現像し、ステップＳ１０４で選択され、ＲＡＭ・Ｍ２に記憶された用紙に係る使用給紙カセット情報に基づき給紙された用紙に転写・定着することにより画像形成する。
【００９５】
また、画像読取手段Ｂ１からプリントすべき画像情報を取得する場合は、（１）原稿を順次搬送させ、搬送する用紙の画像を画像読取手段Ｂ１で順次読み取り、同様にして画像形成する。
【００９６】
そして、いずれの方法の場合も画像形成を行った用紙の枚数を不図示のカウンタによりカウントする。また、給紙される用紙の枚数をカウントする不図示のカウンタによりカウントするようにしても良い。
【００９７】
カウンタのカウント値がｎ1枚であったものとして以下説明する。
【００９８】
用紙束の厚さ演算工程。用紙束の厚さを演算する。（ステップＳ１０６）
図１１は、用紙の種類に対する用紙の厚さテーブル及び用紙のサイズに対する用紙寸法テーブルの説明図である。
【００９９】
具体的には、ステップＳ１０４でＲＡＭ・Ｍ２に記憶された用紙及び表紙用紙として給紙する給紙カセット情報（用紙の紙種情報）、及びＲＯＭ・Ｍ１に予め記憶されている用紙の種類に対する用紙の厚さテーブルＢ７６（図１１）の画像データを読み出し、給紙カセット情報（用紙の紙種情報）に対応する用紙の厚さを取得する。
【０１００】
ステップＳ１０３で普通紙が選択されているので、用紙の種類に対する用紙の厚さテーブルＢ７６から普通紙に対応する厚さｄ4ｍｍを読み出し、用紙の厚さにステップＳ１０４で取得した用紙の枚数ｎ1の積を算出する演算を行い用紙束の厚さＤを算出し、演算結果をＲＡＭ・Ｍ２に記憶させる。
【０１０１】
Ｄ＝ｄ4×ｎ1    （ｍｍ）
表紙の印刷画像データの取得工程。通信手段を介し情報端末等から表紙に印刷するおもて面及びうら面の画像データを取得する。（ステップＳ１０７）
通信手段ＣＢ１、通信手段ＣＰ１等を介し情報端末ＰＣ等から表紙に印刷するおもて面及びうら面の画像データと、うら面の画像データを取得する。
【０１０２】
具体的には、ステップＳ１０５で用紙に印刷すべき画像を取得した方法と同様にして、表紙のおもて面とうら面に印刷する画像データを外部の情報端末ＰＣ等から通信手段ＣＰ１、通信手段ＣＢ２を介し送信させる。そして受信した画像データをＲＡＭ・Ｍ２に記憶させる。
【０１０３】
表紙用紙の印刷画像生成工程。画像データ生成手段でステップＳ１０７で取得したおもて面及びうら面の画像データから印刷画像データを生成する。（ステップＳ１０８）
本工程は用紙束の厚さを把握後すなわち少なくとも用紙の画像形成枚数把握後に行う。このため、全ての用紙の画像形成後に行う。
【０１０４】
ステップＳ１０７で取得しＲＡＭ・Ｍ２に記憶されたおもて面及びうら面の画像データを用紙束の厚みに応じて、表紙用紙の適切な位置に画像が位置するようにステップＳ１０７で取得したおもて面及びうら面の画像データをシフトさせる。
【０１０５】
表紙用紙の画像形成工程。表紙用紙のおもて面及びうら面に画像形成を行う。（ステップＳ１０９）
具体的には、ステップＳ１０８で生成したおもて面印刷画像データを読み出して画像書込手段Ｂ３に送り、感光体ドラム４Ａに潜像を形成し、現像を行い、ステップＳ１０４で記憶された表紙用紙を給紙する給紙カセット（例えば第３給紙カセット）から給紙される表紙用紙に転写し、定着を行い、おもて面に画像形成を行なう。
【０１０６】
次いで、設定に応じ、ステップＳ１０７でＲＡＭ・Ｍ２に記憶されたうら面印刷画像データを読み出して、画像書込手段Ｂ３に送り、感光体ドラム４Ａに潜像を形成し、画像形成手段Ｂ４で現像し、表裏を反転して給紙されたうら面に画像形成を行う。
【０１０７】
そして、おもて面うら面に画像形成を行った表紙用紙を後処理装置に給紙する。
【０１０８】
表紙用紙の印刷は、オフラインの独立した画像形成装置で上述（ステップＳ１０９）したと同様な方法でおもて面の印刷、うら面の画像形成を行っても良い。
【０１０９】
この場合は、後述する後処理（糊付けくるみ製本）を行う時、印刷が完了した表紙用紙は後処理装置の表紙供給手段３０にオペレータにより手差しされる。
【０１１０】
以下、後処理装置の糊付けくるみ製本に係る工程について図１２、５、３を参照して説明する。
【０１１１】
図１２は後処理装置の糊付けくるみ製本に係るフロー図である。
【０１１２】
用紙の後処理装置への給紙工程。ステップＳ１０５で画像形成を行った用紙がそのまま後処理装置に給紙される。（ステップＳ２０１）
具体的には、ステップＳ１０５で画像形成を行ない画像形成装置から給紙された用紙は入口ローラ１１，１２、搬送ローラ４５、搬送ローラ４１を経て用紙束収容手段４０の用紙載置台４２に積載・収納され、用紙束が形成される。
【０１１３】
表紙用紙の後処理装置への給紙工程。おもて面及びうら面の印刷（除く背部）を行った表紙用紙が後処理装置に給紙される。（ステップＳ２０２）
具体的には、ステップＳ１０９で画像形成が完了した表紙用紙が給紙され、それと共に給紙した用紙が表紙である情報を通信手段ＣＢ１、通信回線９、及び通信手段ＣＦ１を介して後処理装置の制御手段ＣＦに送信される。
【０１１４】
これにより、後処理装置は給紙された用紙が表紙用紙と判断して、表紙用紙を入口ローラ１１，１２、搬送路切換手段Ｇ１、搬送路切換手段Ｇ２、搬送ローラ４５を経て一旦用紙束収容手段４０側に搬送し、その後搬送ローラ４５を逆転させ表紙用紙を搬送路切換手段Ｇ３、搬送ローラ３３、給紙手段３２を経て表紙供給手段３０に搬送し、給紙皿３１内に収容する。
【０１１５】
なお、表紙用紙の印刷をオフラインの独立した画像形成装置で行った場合は、画像形成が完了した表紙用紙は後処理装置の表紙供給手段３０の給紙皿３１内にオペレータにより手差しされる。
【０１１６】
用紙束と表紙用紙の糊塗布位置への搬送工程。用紙束と表紙用紙を糊塗布部に搬送する。（ステップＳ２０３）
用紙束収容手段４０の用紙載置台４２上に積載され、用紙後端位置決め部材４３、用紙幅整合部材４４により整合された所定枚数の用紙から成る用紙束４は、把持手段５１によって把持される。用紙後端位置決め部材４３は図示しない駆動手段により揺動されて用紙載置台４２の下方に待避する。用紙束４を把持した把持手段５１は、図示の斜め下方に移動したのち旋回して、用紙束４に糊塗布処理をする面を下側になるようにして用紙束４を垂直となるように（以下、直立状態とも称す）に把持され、所定位置に停止する。
【０１１７】
一方、表紙供給手段３０の給紙皿３１内に収容された表紙用紙２は、給紙手段３２により給送され、搬送ローラ３３に挟持され、搬送路切換手段Ｇ２によって下方に案内され、搬送ローラ３４，３５，３６に挟持され、更に、表紙貼付手段７０の搬送ベルト７１，７２によって搬送され、所定位置に停止される。
【０１１８】
搬送ベルト７１の図示右方に配置された断裁手段７６は、表紙用紙２の搬送方向長さを所定長に断裁する。即ち、表紙用紙２の搬送方向長さは、用紙束４の厚さによって異なるので、用紙３の枚数、用紙３の厚さを、予め、入力、又は検知する事により、表紙用紙２のくるみ長さを算出される。表紙用紙２は、表紙貼付に先だって、搬送ベルト７１，７２による前進、後退によって位置決めされて、表紙用紙２の余分な部分が断裁手段７６によって最適長さに断裁される。表紙用紙２の断裁長は、用紙３の進行方向の２枚分の長さに用紙束４の背部の厚さを加えた長さである。
【０１１９】
用紙束への糊塗布工程。用紙束４の小口に糊を塗布する。（ステップＳ２０４）
具体的には、糊塗布手段６０の移動体６４は、把持手段５１により直立状態に把持された用紙束４の下面長手方向に平行する方向に図示しない駆動手段によって移動される。
【０１２０】
移動体６４は、最大サイズの用紙の糊塗布方向の領域外、例えば、糊付けくるみ製本装置ＦＳＮの背面側の初期位置から移動を開始して、不図示の案内部材に沿って移動され、糊付けくるみ製本装置ＦＳＮの例えば前面側の所定位置で停止した後、反転駆動され前記初期位置に復帰する。
【０１２１】
モータＭ１及び回転手段６２により、糊容器６３に浸漬された塗布ローラ６１は回転される。移動体６４の往動、または往復動により、塗布ローラ６１は直立状態に把持された用紙束４の下面長手方向に糊を塗布する。
【０１２２】
用紙束と表紙用紙の接着工程。糊を塗布した用紙束に表紙用紙を圧接し接着させる。（ステップＳ２０５）
具体的には、用紙束４への糊塗布工程終了後、図示しない駆動手段により、昇降手段７５の可動軸７５６を長溝部７５５に沿って水平移動させる事により、２本のアーム７５３，７５４の上端部のコロ７５７が上昇して、移動筐体７４を上方位置に移動させる。この上昇位置において、加圧部材７３上に載置された表紙用紙２の中央部は、用紙束４の糊塗布面６に圧接して接着される。
【０１２３】
なお、表紙貼付手段７０の上昇に先だって排出ベルト９１を回動させて待避させ、直立状態に把持された用紙束４との干渉を防止する。
【０１２４】
表紙用紙２を用紙束４へ接着したのち、表紙貼付手段７０の上昇状態において、一対の折り曲げ部材８１が図示しない駆動手段によって駆動され、加圧部材７３の上面の延長面より上方に上昇し、一対の折り曲げ部材８１の上昇移動により、表紙用紙２は一対の折り曲げ部材８１の上面によって押し上げられて用紙束４の糊塗布面６の側縁部から湾曲される。
【０１２５】
その後、一対の折り曲げ部材８１は、用紙束４の糊塗布面側へ向かって水平方向に移動して用紙束４の両側面を圧迫して整形して、冊子１を形成する。
【０１２６】
表紙用紙２の折り曲げ処理終了後、一対の折り曲げ部材８１は表紙用紙２の折り曲げ部から待避し、加圧部材７３はリンク機構７７によって下方に待避する。
【０１２７】
冊子の排出工程。糊付けくるみ製本が完了した冊子を排出する。（ステップＳ２０６）
用紙束４と表紙用紙２から成る冊子１の排出工程を示す糊付け製本装置ＦＳＮの断面図である。
【０１２８】
表紙用紙２の折り曲げ工程の終了後、昇降手段７５の下降駆動によって表紙貼付手段７０が下降して待避した後、排出ベルト９１が揺動されて、冊子１の下方位置に停止する。その後、把持手段５１による挟持が解除されると、冊子１は下降し、冊子１の下方の背部が排出ベルト９１の上面に当接する位置に停止する。
【０１２９】
図示しない駆動手段により排出ベルト９１，９２の回動が開始されると、冊子１は排出ベルト９１，９２上に搭載されて搬送され、排出開口９３から装置外に排出され、昇降排紙台９４上に載置される。
【０１３０】
なお、本発明の糊付けくるみ製本装置ＦＳＮを画像形成装置に接続せずに独立した装置として構成し、他の画像形成装置により処理された用紙を用紙束収容手段４０の用紙載置台４２上に載置し、表紙供給手段３０に表紙用紙２を装填して、糊塗布手段６０、表紙貼付手段７０、表紙折り曲げ手段８０によって、オフラインで糊付け製本処理を実施することも可能である。
【０１３１】
以上のように、本実施形態によれば、用紙の画像形成工程より表紙用紙の印刷工程を後に位置させることにより、本身の背部に糊塗布を行っている間に表紙用紙の供給を並行して行うことができ、生産性を向上させることができる。また、用紙の画像形成工程より表紙用紙の印刷工程を後に位置させることにより、用紙束の厚さを正確に把握した上で表紙用紙に画像を印刷できるので、表紙画像を表紙用紙の適切な位置に印刷することができ、高品位の冊子が製造可能となる。
【０１３２】
（第２の実施形態）
［システム構成］
糊付けくるみ製本装置ＦＳＮの構成が異なる以外は、第１の実施形態のシステム構成と同様である。
【０１３３】
図１３は、第２の実施形態に係る糊付けくるみ製本装置ＦＳＮの構成図である。図３に示される第１の実施形態と同一部材については同一符号で示している。給紙搬送手段１００が設けられている以外は実質的に第１の実施形態と同一の構成である。
【０１３４】
給紙搬送手段１００は、給紙カセット１０１、給紙手段１０２等を備えている。給紙カセット１０１には、表紙用紙が収容されている。給紙手段１０２を駆動することにより、給紙カセット１０１内の表紙用紙が供給され、表紙貼付手段７０に向けて搬送される。
【０１３５】
［制御構成］
図１４は、第２の実施形態に係る画像形成システムの制御ブロック図である。図４に示される第１の実施形態と同一要素については同一符号で示している。
【０１３６】
画像形成装置本体Ｂ、糊付けくるみ製本装置ＦＳＮ及び情報端末ＰＣから構成されている。画像形成装置本体Ｂは、情報端末ＰＣあるいは画像形成装置本体Ｂの画像読取手段Ｂ１から送信されてくる画像データに基づいて、用紙上に画像形成を行う。
【０１３７】
画像形成装置本体Ｂは、プログラムに従って画像形成装置本体Ｂの各種制御を実行する制御手段ＣＢを中心に、バスＢＢにより、ＲＯＭ・Ｍ１、ＲＡＭ・Ｍ２、画像読取手段Ｂ１、画像形成手段Ｂ４、給紙搬送手段Ｂ５、操作表示手段Ｂ７、及び通信手段ＣＢ１が相互に接続されている。
【０１３８】
ＲＯＭ・Ｍ１は、各種プログラムやデータを記憶しており、制御手段ＣＢがこれらプログラムやデータを利用して画像形成装置本体Ｂの制御を実行する。
【０１３９】
ＲＡＭ・Ｍ２は、制御手段ＣＢによってワークエリアとして利用され、制御手段ＣＢが制御を実行する際に必要なプログラムやデータを一時的に記憶する。
【０１４０】
画像読取手段Ｂ１は、原稿を読み取って画像データを生成する。生成された画像データは、制御手段ＣＢにより処理が施され、画像形成手段Ｂ４に出力される。
【０１４１】
画像形成手段Ｂ４は、画像読取手段Ｂ１又は情報端末ＰＣから入力される画像データに基づいて用紙上に画像形成を行う。
【０１４２】
給紙搬送手段Ｂ５は、給紙カセット５Ａ，５Ｂ，５Ｃに収容されている本身用紙又は表紙用紙を画像形成手段Ｂ４に向けて搬送する。
【０１４３】
操作表示手段Ｂ７は、タッチパネル等で構成され、各種操作画面、設定画面等を表示するとともに、各種モードの選択、画像形成指示等が入力される。
【０１４４】
通信手段ＣＢ１は、糊付けくるみ製本装置ＦＳＮに接続され、糊付けくるみ製本装置ＦＳＮとの間で各種データを送受信する。
【０１４５】
通信手段ＣＢ２は、情報端末ＰＣに接続され、情報端末ＰＣから送信されてくる画像データを受信する。
【０１４６】
糊付けくるみ製本装置ＦＳＮは、プログラムに従って糊付けくるみ製本装置ＦＳＮの各種制御を実行する制御手段ＣＦを中心に、バスＦＢにより、ＲＯＭ・Ｍ３、ＲＡＭ・Ｍ４、給紙搬送手段１００、及び通信手段ＣＦ１が相互に接続されている。
【０１４７】
ＲＯＭ・Ｍ３は、各種プログラムやデータを記憶しており、制御手段ＣＦがこれらプログラムやデータを利用して糊付けくるみ製本装置ＦＳＮの制御を実行する。
【０１４８】
ＲＡＭ・Ｍ４は、制御手段ＣＦによってワークエリアとして利用され、制御手段ＣＦが制御を実行する際に必要なプログラムやデータを一時的に記憶する。
【０１４９】
給紙搬送手段１００は、給紙カセット１０１に収容されている表紙用紙を表紙貼付手段７０に向けて搬送する。
【０１５０】
通信手段ＣＦ１は、画像形成装置本体Ｂに接続され、画像形成装置本体Ｂとの間で各種データを送受信する。
【０１５１】
情報端末ＰＣは、プログラムに従って情報端末ＰＣの制御を実行する制御手段ＣＰを中心として、バスＰＢにより、ＲＯＭ・Ｍ５、ＲＯＭ・Ｍ６、ハードディスクＭ７、操作手段Ｐ１、表示手段Ｐ２、及び通信手段ＣＰ１が相互に接続されている。
【０１５２】
ＲＯＭ・Ｍ５は、各種プログラムやデータを記憶しており、制御手段ＣＰがこれらプログラムやデータを利用して情報端末ＰＣの制御を実行する。
【０１５３】
ＲＯＭ・Ｍ６は、制御手段ＣＰによってワークエリアとして利用され、制御手段ＣＰが制御を実行する際に必要なプログラムやデータを一時的に記憶する。
【０１５４】
ハードディスクＭ７は、画像データを作成するアプリケーションプログラム、プリンタドライバ等を記憶する。
【０１５５】
操作手段Ｐ１は、ユーザにより操作され、アプリケーションプログラム画面上、プリンタドライバ画面上等において各種入力が行われる。
【０１５６】
表示手段Ｐ２は、アプリケーションプログラム画面、プリンタドライバ画面等を表示する。
【０１５７】
通信手段ＣＰ１は、画像形成装置本体Ｂに接続され、画像形成装置本体Ｂに画像データを送信する。
【０１５８】
［制御概要］
図１５に、第２の実施形態に係る原稿読み込み及びプリント出力のシーケンスを示す。一例として、表紙用紙が画像形成装置本体Ｂの給紙カセットから給紙される場合について示す。また、ページ画像は、表表紙、本身１〜Ｎ（本身の１ページ目〜Ｎページ目）、裏表紙の順で読み込まれるものとする。
【０１５９】
図に示すように、プリントを行う場合、本身用紙から給紙してプリントを行うようにすれば、本身処理、例えば本身の背部に糊塗布を行っている間や本身束の整合処理を行っている間に表紙用紙の供給を並行して行うことができ、くるみ製本の生産性を向上させることができる。当該効果は、ページ画像データの入力順に関係なく達成される。また、表紙用紙に画像を形成しない場合にも達成される。
【０１６０】
複数部出力する場合には、用紙束収容手段４０を備えているので、例えば、１部目の本身用紙が用紙束把持手段５０に存在してくるみ製本を行っている途中でも、２部目のプリントされた本身用紙を用紙束収容手段４０に一時的に蓄積しておくことができる。このため、１部目のくるみ製本の処理のために２部目の本身用紙のプリントを中断する必要がなく、プリント出力の生産性が向上し、くるみ製本の生産性が向上する。当該効果は、ページ画像データの入力順に関係なく達成される。また、表紙用紙に画像を形成しない場合にも達成される。
【０１６１】
表表紙、本身１〜Ｎ、裏表紙の順でページ画像が読み込まれる場合には、表紙用紙よりも先に本身用紙から給紙してプリントを行うようにすれば、例えば、本身１の画像が読み込まれた時点で本身用紙１（本身用紙１枚目）のプリントを開始することができ、最終のページ画像が読み込まれるまで待たなくてもよい。これにより、プリント出力の生産性が向上し、くるみ製本の生産性が向上する。
【０１６２】
表紙用紙を糊付けくるみ製本装置ＦＳＮの給紙カセット１０１から給紙する場合には、給紙経路が本身の搬送経路と独立しているのでジョブ開始と同時に給紙すればよい。２部目以降は、１部目の冊子が表紙貼付手段７０から排出されたことを例えばセンサにより検知して次の表紙を給紙すればよい。また、糊付けくるみ製本装置ＦＳＮが表紙用紙に画像を形成する画像形成手段を備えている場合（例えば、給紙搬送手段１００から表紙貼付手段７０に向かう経路に設けられている）には、本身に画像形成を行い本身の用紙束の厚みを算出した後に当該画像形成手段により表紙用紙に表紙画像を形成することにより、表紙画像を表紙用紙の適切な位置に形成することができ好ましい。
【０１６３】
［画像形成装置本体Ｂの給紙制御フロー］
図１６は、第２の実施形態に係る画像形成装置本体Ｂのプリント開始処理及び給紙処理の制御フロー図である。この制御は、ＲＯＭ・Ｍ１に記憶されるプログラムに基づいて、制御手段ＣＢが処理を実行することにより行われる。
【０１６４】
一例として、表紙用紙が画像形成装置本体Ｂの給紙カセットから給紙される場合についての制御フローについて示す。尚、表紙用紙は給紙カセット５Ｃから、本身用紙は給紙カセット５Ａから給紙されるものとする。また、画像データの入力は、画像形成装置本体Ｂの画像読取手段Ｂ１を介して入力されるものとする。
【０１６５】
まず、制御手段ＣＢは、操作表示手段Ｂ７によりジョブ開始の指示が入力されたか否かを判断する（ステップＳ３０１）。ジョブ開始の指示が入力されたと判断すると（ステップＳ３０１；Ｙｅｓ）、制御手段ＣＢは、画像読取手段Ｂ１に対し画像の読取開始を要求する（ステップＳ３０２）。これにより、自動原稿送り装置ＤＦに表表紙、本身１〜Ｎ、裏表紙の順で原稿をセットしておけば、画像読取手段Ｂ１により表表紙、本身１〜Ｎ、裏表紙の順で画像が読み取られる。ジョブ開始の指示が入力されていないと判断すると（ステップＳ３０１；Ｎｏ）、ジョブ開始の指示が入力されるまで待機する。
【０１６６】
次に、制御手段ＣＢは、未出力の本身画像があるか否かを判断する（ステップＳ３０３）。未出力の本身画像があると判断すると（ステップＳ３０３；Ｙｅｓ）、制御手段ＣＢは、本身用紙の給紙が可能（前の用紙給紙完了）であるか否かを判断する（ステップＳ３０４）。未出力の本身画像がないと判断すると（ステップＳ３０３；Ｎｏ）、ステップＳ３０６に進む。
【０１６７】
ステップＳ３０４において、本身用紙の給紙が可能であると判断すると（ステップＳ３０４；Ｙｅｓ）、制御手段ＣＢは、給紙搬送手段Ｂ５に第１給紙手段５Ｄを駆動して本身用紙を給紙するよう要求し（ステップＳ３０５）、ステップＳ３０３に戻る。給紙された本身用紙は、画像形成手段Ｂ４に搬送され、本身画像の形成が行われる。本身用紙の給紙が可能でないと判断すると（ステップＳ３０４；Ｎｏ）、制御手段ＣＢは、本身用紙の給紙が可能になるまで待機する。
【０１６８】
ステップＳ３０６において、制御手段ＣＢは、最終ページ画像（裏表紙画像）の読み取りが完了したか否かを判断する。最終ページ画像の読み取りが完了したと判断すると（ステップＳ３０６；Ｙｅｓ）、制御手段ＣＢは、表紙用紙の給紙が可能（前の用紙給紙完了）であるか否かを判断する（ステップＳ３０７）。表紙用紙の給紙が可能であると判断すると（ステップＳ３０７；Ｙｅｓ）、制御手段ＣＢは、給紙搬送手段Ｂ５に第３給紙手段５Ｆを駆動して表紙用紙を給紙するよう要求する（ステップＳ３０８）。給紙された表紙用紙は、画像形成手段Ｂ４に搬送され、表表紙画像及び裏表紙画像の形成が行われる。表紙用紙の給紙が可能でないと判断すると（ステップＳ３０７；Ｎｏ）、制御手段ＣＢは、表紙用紙の給紙が可能になるまで待機する。
【０１６９】
次に、制御手段ＣＢは、次の部があるか否かを判断する（ステップＳ３０９）。次の部があると判断すると（ステップＳ３０９；Ｙｅｓ）、ステップＳ３０３に戻る。次の部がないと判断すると（ステップＳ３０７；Ｎｏ）、ジョブ終了処理を行う（ステップＳ３１０）。
【０１７０】
［糊付けくるみ製本装置ＦＳＮの用紙搬送制御フロー］
図１７は、第２の実施形態に係る糊付けくるみ製本装置ＦＳＮの用紙搬送処理の制御フロー図である。この制御は、ＲＯＭ・Ｍ３に記憶されるプログラムに基づいて、制御手段ＣＦが処理を実行することにより行われる。
【０１７１】
まず、制御手段ＣＦは、画像形成装置本体Ｂからジョブ開始信号を受信したか否かを判断する（ステップＳ４０１）。ジョブ開始信号は、画像形成装置本体Ｂの操作表示手段Ｂ７からの入力に基づいて発せられる。ジョブ開始信号を受信したと判断すると（ステップＳ４０１；Ｙｅｓ）、制御手段ＣＦは、画像形成装置本体Ｂから表紙モード信号を受信し、表紙モードが糊付けくるみ製本装置ＦＳＮから表紙用紙の給紙を行う場合の表紙白紙モードであるか否かを判断する（ステップＳ４０２）。表紙モードは、画像形成装置本体Ｂの操作表示手段Ｂ７により入力される。また、表紙白紙モードは、表紙用紙に画像形成を行わないモードである。ジョブ開始信号を受信していないと判断すると（ステップＳ４０１；Ｎｏ）、制御手段ＣＦは、ジョブ開始信号が入力されるまで待機する。
【０１７２】
ステップＳ４０２において、表紙モードが糊付けくるみ製本装置ＦＳＮから表紙用紙の給紙を行う場合の表紙白紙モードであると判断すると（ステップＳ４０２；Ｙｅｓ）、制御手段ＣＦは、表紙用紙が表紙貼付手段７０に搬入可能か否かを判断する（ステップＳ４０３）。表紙モードが糊付けくるみ製本装置ＦＳＮから表紙用紙の給紙を行う場合の表紙白紙モードでないと判断すると（ステップＳ４０２；Ｎｏ）、ステップＳ４０５に進む。
【０１７３】
ステップＳ４０３において、表紙用紙が表紙貼付手段７０に搬入可能であると判断すると、（ステップＳ４０３；Ｙｅｓ）、制御手段ＣＦは、給紙搬送手段１００に給紙手段１０２を駆動して表紙用紙を給紙するよう要求し、表紙用紙を表紙貼付手段７０に搬入する（ステップＳ４０４）。表紙用紙が表紙貼付手段７０に搬入可能でないと判断すると、（ステップＳ４０３；Ｎｏ）、制御手段ＣＦは、表紙用紙が表紙貼付手段７０に搬入可能であると判断するまで待機する。
【０１７４】
ステップＳ４０５において、制御手段ＣＦは、画像形成装置本体Ｂからの用紙排出時に送信されてくる用紙排出信号を受信したか否かを判断する。用紙排出信号には、排出される用紙の用紙情報も含まれている。用紙排出信号を受信したと判断すると（ステップＳ４０５；Ｙｅｓ）、制御手段ＣＦは、用紙排出信号に含まれる用紙情報から排出用紙が本身用紙であるか否かを判断する（ステップＳ４０６）。用紙排出信号を受信していないと判断すると（ステップＳ４０５；Ｎｏ）、制御手段ＣＦは、用紙排出信号を受信するまで待機する。
【０１７５】
ステップＳ４０６において、用紙排出信号に含まれる用紙情報から排出用紙が本身用紙であると判断すると（ステップＳ４０６；Ｙｅｓ）、制御手段ＣＦは、前の部が製本中であるか否かを判断する（ステップＳ４０７）。用紙排出信号に含まれる用紙情報から排出用紙が本身用紙でないと判断すると（ステップＳ４０６；Ｎｏ）、制御手段ＣＦは、排出用紙を表紙貼付手段に搬送する（ステップＳ４１０）。その後ステップＳ４１１に進む。
【０１７６】
ステップＳ４０７において、前の部が製本中であると判断すると（ステップＳ４０７；Ｙｅｓ）、制御手段ＣＦは、用紙束収容手段４０の用紙後端位置決め部材４３を用紙載置台４２から突出した位置にセットすることにより、用紙束収容手段４０に本身用紙を蓄積させる（ステップＳ４０８）。その後ステップＳ４１１に進む。前の部が製本中でないと判断すると（ステップＳ４０７；Ｎｏ）、制御手段ＣＦは、用紙束収容手段４０の用紙後端位置決め部材４３を用紙載置台４２から退避した位置にセットすることにより、用紙束収容手段４０に搬送されたきた本身用紙をそのまま用紙束把持手段５０に搬送し、用紙束把持手段５０に本身用紙を蓄積させる（ステップＳ４０９）。その後ステップＳ４１１に進む。
【０１７７】
ステップＳ４１１において、制御手段ＣＦは、部の最終の用紙であるか否かを判断する。部の最終の用紙であると判断すると（ステップＳ４１１；Ｙｅｓ）、制御手段ＣＦは、製本処理開始要求を送信する（ステップＳ４１２）。部の最終の用紙でないと判断すると（ステップＳ４１１；Ｎｏ）、ステップＳ４０５に戻る。
【０１７８】
次に、制御手段ＣＦは、ジョブ終了か否かを判断する（ステップＳ４１３）。ジョブ終了であると判断すると（ステップＳ４１３；Ｙｅｓ）、フローを終了する。ジョブ終了でないと判断すると（ステップＳ４１３；Ｙｅｓ）、ステップＳ４０２に戻る。
【０１７９】
［情報端末ＰＣから画像入力を行う場合の画像入力処理の制御フロー］
第２の実施形態では、画像形成装置本体Ｂの画像読取手段Ｂ１を介して画像データの入力が行われるものとしたが、情報端末ＰＣから画像入力を行うことももちろん可能である。この場合の画像データ入力処理の制御フローを図１８に示す。
【０１８０】
まず、情報端末ＰＣにおいて、操作手段Ｐ１によりアプリケーションプログラムの起動指示が行われると、制御手段ＣＰは、アプリケーションプログラムを起動し、ハードディスクＭ７からアプリケーションプログラムをＲＡＭ・Ｍ６にロードし、アプリケーション画面を表示手段Ｐ２に表示する（ステップＳ５０１）。次に、制御手段ＣＰは、アプリケーションプログラム画面に対する操作手段Ｐ１からの入力に基づき、図１５に示されるページ画像データを生成する（ステップＳ５０２）。
【０１８１】
次に、操作手段Ｐ１によりアプリケーション画面上で印刷メニューが選択されると（ステップＳ５０３）、制御手段ＣＰは、プリンタドライバを起動し、ハードディスクＭ７からプリンタドライバをＲＡＭ・Ｍ６にロードし、プリンタドライバ画面を表示手段Ｐ２に表示する（ステップＳ５０４）。
【０１８２】
次に、操作手段Ｐ１により、くるみ綴じ設定、表紙モード設定、表紙用紙カセット設定、本身用紙カセット設定、印刷部数設定、等の印刷条件設定が、プリンタドライバ画面上で行われ、制御手段ＣＰに入力される（ステップＳ５０５）。
【０１８３】
次に、操作手段Ｐ１により、印刷実行指示がなされると（ステップＳ５０６）、制御手段ＣＰは、ステップＳ５０２で作成されたページ画像データ及びステップＳ５０５で入力された印刷条件設定を、通信手段ＣＰ１を介して画像形成装置本体Ｂに送信する（ステップＳ５０７）。
【図面の簡単な説明】
【０１８４】
【図１】くるみ製本を行った冊子の説明図である。
【図２】画像形成装置に、後処理装置を接続した場合の説明図である。
【図３】糊付けくるみ製本装置ＦＳＮを説明する断面図である。
【図４】画像形成装置本体の制御ブロック図である。
【図５】画像形成装置本体の糊付けくるみ製本に係るフロー図である。
【図６】操作表示手段に表示するカセット／用紙入力画面の図である。
【図７】操作表示手段に表示する基本画面の図である。
【図８】操作表示手段に表示する応用機能選択画面の図である。
【図９】操作表示手段に表示する後処理機能選択画面の図である。
【図１０】操作表示手段に表示する用紙及び表紙の使用給紙カセット選択画面の図である。
【図１１】用紙の種類に対する用紙の厚さテーブル及び用紙のサイズに対する用紙寸法テーブルの説明図である。
【図１２】後処理装置の糊付けくるみ製本に係るフロー図である。
【図１３】第２の実施形態に係る糊付けくるみ製本装置ＦＳＮの構成図である。
【図１４】第２の実施形態に係る画像形成システムの制御ブロック図である。
【図１５】第２の実施形態に係る原稿読み込み及びプリント出力のシーケンスを示す。
【図１６】第２の実施形態に係る画像形成装置本体Ｂのプリント開始処理及び給紙処理の制御フロー図である。
【図１７】第２の実施形態に係る糊付けくるみ製本装置ＦＳＮの用紙搬送処理の制御フロー図である。
【図１８】情報端末ＰＣから画像入力を行う場合の画像入力処理の制御フロー図である。
【符号の説明】
【０１８５】
２  表紙用紙
３  用紙（本身用紙）
４０  用紙束収容手段
１００  給紙搬送手段
Ａ  画像形成装置
Ｂ１  画像読取手段（画像入力手段）
Ｂ４  画像形成手段
Ｂ５  給紙搬送手段
ＣＢ  制御手段
ＣＢ２  通信手段（画像入力手段）
ＣＦ  制御手段
ＦＳＮ  糊付けくるみ製本装置
ＰＣ  情報端末
【図１】
2007178967.tif 000003
【図２】
2007178967.tif 000004
【図３】
2007178967.tif 000005
【図４】
2007178967.tif 000006
【図５】
2007178967.tif 000007
【図６】
2007178967.tif 000008
【図７】
2007178967.tif 000009
【図８】
2007178967.tif 000010
【図９】
2007178967.tif 000011
【図１０】
2007178967.tif 000012
【図１１】
2007178967.tif 000013
【図１２】
2007178967.tif 000014
【図１３】
2007178967.tif 000015
【図１４】
2007178967.tif 000016
【図１５】
2007178967.tif 000017
【図１６】
2007178967.tif 000018
【図１７】
2007178967.tif 000019
【図１８】
2007178967.tif 000020